【事件の表示】
　特許第２８２３０１３号「電気掃除機及びその吸口体」の請求項１ないし１０に係る特許に対する特許異議の申立てについて、次のとおり決定する。
【結論】
　訂正を認める。
　特許第２８２３０１３号の請求項１ないし４に係る特許を維持する。
【理由】
〔１〕手続の経緯
　本件特許２８２３０１３号（以下「本件特許」という。）は、平成４年１月７日に特許出願されたものであって、平成１０年９月４日に設定登録がされ、同年１１月１１日に特許公報に掲載されたものであり、これに対して、特許異議申立人三洋電機株式会社より、本件の請求項１乃至請求項１０に係る発明の特許に対して、平成１１年５月１０日付けで特許異議の申立てがされ、その後、当審の取消理由通知に対して、平成１１年１１月１５日付け訂正請求書により訂正請求がされたものである。
〔２〕訂正事項と訂正の適否についての判断
　本件訂正請求は、以下のとおりである。
（１）明細書の特許請求の範囲の請求項１、請求項２、請求項５、請求項６、請求項９、請求項１０を削除。
（２）請求項３を請求項１に繰り上げるとともに、
「請求項１
　吸込口を有する吸口本体と、この吸口本体内に回転ブラシ体及びこの回転ブラシ体の回転軸方向の両側方でかつ同軸線上に前記回転ブラシ体の駆動力を発生するタービンと、前記回転ブラシ体が設けられた吸口本体内の空間に連通する空気通路を形成する継ぎ手とを備えた電気掃除機の吸口体であって、
　前記回転ブラシ体の回転軸方向の両側方で、前記タービンよりも外側に、前記回転ブラシ体及び前記タービンの軸受を備え、
　前記吸口本体は上ケースと下ケースを備え、
　前記吸口本体の前記吸込口が設けられるのと反対側の面に、前記回転ブラシ体及び前記タービンを覆うカバーを前記上ケースに備え、
　前記カバーの前記吸口本体に対する着脱を切り替える切替手段を設け、この切替手段を操作して前記カバーを開けることにより、前記回転ブラシ体、タービン及び軸受を一体で、前記吸口本体に対して着脱できるようにした
　ことを特徴とする電気掃除機の吸口体。」と訂正する。
（３）請求項４を請求項２とする。
（４）請求項７を請求項３に繰り上げるとともに、
「請求項３
　電気掃除機本体と、この掃除機本体と空気通路で繋がれる吸口体を備え、前記吸口体に、吸込口を有する吸口本体と、この吸口本体内に回転ブラシ体及びこの回転ブラシ体の回転軸方向の両側方でかつ同軸線上に前記回転ブラシ体の駆動力を発生するタービンと、前記回転ブラシ体が設けられた吸口本体内の空間に連通する空気通路を形成する継ぎ手とを備えた電気掃除機であって、
　前記回転ブラシ体の回転軸方向の両側方で、前記タービンよりも外側に、前記回転ブラシ体及び前記タービンの軸受を備え、
　前記吸口本体は上ケースと下ケースを備え、
　前記吸口本体の前記吸込口が設けられるのと反対側の面に、前記回転ブラシ体及び前記タービンを覆うカバーを前記上ケースに備え、
　前記カバーの前記吸口本体に対する着脱を切り替える切替手段を設け、この切替手段を操作して前記カバーを開けることにより、前記回転ブラシ体、タービン及び軸受を一体で、前記吸口本体に対して着脱できるようにした
　ことを特徴とする電気掃除機。」と訂正する。
（５）請求項８を、請求項４とするとともに、引用する請求項の番号を変更。
（６）上記、各請求項に対応する発明の詳細な説明の段落【０００５】の記載を訂正。
　そこで、訂正事項について検討すると、特許請求の範囲の訂正は、本件電気掃除機の吸口体及び電気掃除機が、回転ブラシ体の回転軸方向の両側方にタービンを有し、吸口本体が上ケースと下ケースを備え、タービンを覆うカバーが上ケースに備えられているものであるものに限定するものであるから、特許法第１２０条の４第２項ただし書第１号の特許請求の範囲の減縮に該当し、また、発明の詳細な説明の訂正は、特許請求の範囲の記載の訂正に伴って発明の詳細な説明の記載を訂正された特許請求の範囲の記載と整合するように訂正するものであると認められるから、この訂正も同条同項第１号に該当するものであり、さらに、本件訂正事項は、全体として願書に最初に添付した明細書及び図面の記載の範囲においてされたものであると認められるので、同条第３項で準用する第１２６条第２項及び第３項の規定にも適合する。
　さらに、本件訂正後の各請求項に記載された発明が特許出願の際独立して特許を受けることができない発明であるとすることもできない（後述のとおり特許異議の申立ては理由がなく、その他本件訂正後の各請求項に記載された発明が特許を受けることができない発明であるとする理由を発見しない。）ので、本訂正事項は、特許法第１２０条の４第３項で準用する同法第１２６条第４項の規定にも適合するものである。
　したがって、本件訂正請求はこれを認めることとする。
〔３〕特許異議申立てについての判断
　本件特許発明は、訂正された明細書及び図面の記載からみて、その特許請求の範囲の請求項１乃至請求項４に記載された以下のものにある。
「請求項１
　吸込口を有する吸口本体と、この吸口本体内に回転ブラシ体及びこの回転ブラシ体の回転軸方向の両側方でかつ同軸線上に前記回転ブラシ体の駆動力を発生するタービンと、前記回転ブラシ体が設けられた吸口本体内の空間に連通する空気通路を形成する継ぎ手とを備えた電気掃除機の吸口体であって、
　前記回転ブラシ体の回転軸方向の両側方で、前記タービンよりも外側に、前記回転ブラシ体及び前記タービンの軸受を備え、
　前記吸口本体は上ケースと下ケースを備え、
　前記吸口本体の前記吸込口が設けられるのと反対側の面に、前記回転ブラシ体及び前記タービンを覆うカバーを前記上ケースに備え、
　前記カバーの前記吸口本体に対する着脱を切り替える切替手段を設け、この切替手段を操作して前記カバーを開けることにより、前記回転ブラシ体、タービン及び軸受を一体で、前記吸口本体に対して着脱できるようにした
　ことを特徴とする電気掃除機の吸口体。
　請求項２
　請求項１に記載の電気掃除機の吸口体において、
　前記回転ブラシ体は、ブレードで構成されることを特徴とする電気掃除機の吸口体。
　請求項３
　電気掃除機本体と、この掃除機本体と空気通路で繋がれる吸口体を備え、前記吸口体に、吸込口を有する吸口本体と、この吸口本体内に回転ブラシ体及びこの回転ブラシ体の回転軸方向の両側方でかつ同軸線上に前記回転ブラシ体の駆動力を発生するタービンと、前記回転ブラシ体が設けられた吸口本体内の空間に連通する空気通路を形成する継ぎ手とを備えた電気掃除機であって、
　前記回転ブラシ体の回転軸方向の両側方で、前記タービンよりも外側に、前記回転ブラシ体及び前記タービンの軸受を備え、
　前記吸口本体は上ケースと下ケースを備え、
　前記吸口本体の前記吸込口が設けられるのと反対側の面に、前記回転ブラシ体及び前記タービンを覆うカバーを前記上ケースに備え、
　前記カバーの前記吸口本体に対する着脱を切り替える切替手段を設け、この切替手段を操作して前記カバーを開けることにより、前記回転ブラシ体、タービン及び軸受を一体で、前記吸口本体に対して着脱できるようにした
　ことを特徴とする電気掃除機。
　請求項４
　請求項３に記載の電気掃除機において、
　前記回転ブラシ体は、ブレードで構成されることを特徴とする電気掃除機。」
　これに対して、特許異議申立人の申立ての理由は、（本件訂正前の）「本件請求項１〜１０に係る各特許発明は、甲第１号証、甲第２号証、甲第３号証、甲第４号証に記載された発明に基づいて、その発明の属する技術分野における通常の知識を有するものが容易に発明をすることができたものであるから、特許法第２９条第２項の規定により特許を受けることができないものであり、特許法第１１３条第２号の規定により取り消すべきである。」というにある。
証拠方法：
甲第１号証：実願昭５５−１４７６６３号（実開昭５７−６９６６５号のマイクロフィルム）
甲第２号証：特開昭６４−５８２２３号公報
甲第３号証：実願昭６０−４２９７８号（実開昭６１−１６０８４２号のマイクロフィルム）
甲第４号証：特開昭６１−１５９９３２号公報
　そこで、甲号各証について検討すると、甲第１号証には、「電気掃除機の吸込口体」に関して第１〜８図とともに記載されており、これを本件発明と対比すると、両者は、本件訂正前の発明に係る、「吸込口を有する吸口本体と、この吸口本体内に回転ブラシ体及びこの回転ブラシ体の回転軸方向の側方でかつ同軸線上に前記回転ブラシ体の駆動力を発生するタービンと、前記回転ブラシ体が設けられた吸口本体内の空間に連通する空気通路を形成する継ぎ手とを備えた電気掃除機の吸口体であって、前記吸口本体に、前記吸込口の反対側に、前記回転ブラシ体及び前記タービンを覆い、前記吸口本体に対して着脱可能なカバーを備え、前記回転ブラシ体及び前記タービンを一体で前記吸口本体から着脱できるようにした」電気掃除機の吸口体乃至電気掃除機であるという点においては共通するものであると認められるが、本件訂正請求によって規定された、「吸口本体内に回転ブラシ体及びこの回転ブラシ体の回転軸方向の両側方でかつ同軸線上に前記回転ブラシ体の駆動力を発生するタービン」及び「回転ブラシ体の回転軸方向の両側方で、タービンよりも外側に、回転ブラシ体及び前記タービンの軸受」を備え、「吸口本体の吸込口が設けられるのと反対側の面に、回転ブラシ体及び前記タービンを覆うカバーを上ケース」に備え、「切替手段を操作してカバーを開けることにより、回転ブラシ体、タービン及び軸受を一体で、吸口本体に対して着脱できるようにした」構成に関しては、甲第１号証には何ら記載されていない。そして、かかる構成により、本件各発明は、「塵挨の付着する虞のある回転部材の全てを網羅した、回転ブラシ体、両側方のタービン及びタービンの外側の軸受けを一体構造とし、且つ前記一体構造を吸口本体から着脱可能とすること、並びに、その着脱可能とするための具体的構成として、一体構造に対応するカバーを切替手段の操作で開けることができる」という甲第１号証の電気掃除機の吸込口体に比して有利な効果を奏するものと認められる。
　また、甲第２号証には「電気掃除機の床ノズル」に関し、甲第３号証には「電気掃除機の吸い込み口体」に関し、甲第４号証には「エアータービンブラシ」に関して、それぞれ記載されているが、本件各発明の上記特徴点に関しては何らの記載も示唆もない。
　そうすると、その余について検討するまでもなく、本件各発明が、甲第１号証乃至甲第４号証に記載された発明に基づいて当業者が容易に発明をすることができたものとすることはできない。
〔４〕まとめ
　以上のとおりであるから、本件特許発明が特許法第２９条第２項の規定により特許を受けることができないとする特許異議申立人の主張は、これを採用することができない。
　ほかに、本件特許発明についての特許を取り消すべき理由を発見しない。
　よって、結論のとおり決定する。
【異議決定日】
平成１１年１１月２６日（１９９９．１１．２６）
【訂正の要旨】
本件訂正請求は、
（１）明細書の特許請求の範囲の請求項１、請求項２、請求項５、請求項６、請求項９、請求項１０を削除し、
（２）請求項３を請求項１に繰り上げるとともに、
「請求項１
　吸込口を有する吸口本体と、この吸口本体内に回転ブラシ体及びこの回転ブラシ体の回転軸方向の両側方でかつ同軸線上に前記回転ブラシ体の駆動力を発生するタービンと、前記回転ブラシ体が設けられた吸口本体内の空間に連通する空気通路を形成する継ぎ手とを備えた電気掃除機の吸口体であって、
　前記回転ブラシ体の回転軸方向の両側方で、前記タービンよりも外側に、前記回転ブラシ体及び前記タービンの軸受を備え、
　前記吸口本体は上ケースと下ケースを備え、
　前記吸口本体の前記吸込口が設けられるのと反対側の面に、前記回転ブラシ体及び前記タービンを覆うカバーを前記上ケースに備え、
　前記カバーの前記吸口本体に対する着脱を切り替える切替手段を設け、この切替手段を操作して前記カバーを開けることにより、前記回転ブラシ体、タービン及び軸受を一体で、前記吸口本体に対して着脱できるようにした
　ことを特徴とする電気掃除機の吸口体。」
と訂正し、
（３）請求項４を請求項２とし、
（４）請求項７を請求項３に繰り上げるとともに、
「請求項３
　電気掃除機本体と、この掃除機本体と空気通路で繋がれる吸口体を備え、前記吸口体に、吸込口を有する吸口本体と、この吸口本体内に回転ブラシ体及びこの回転ブラシ体の回転軸方向の両側方でかつ同軸線上に前記回転ブラシ体の駆動力を発生するタービンと、前記回転ブラシ体が設けられた吸口本体内の空間に連通する空気通路を形成する継ぎ手とを備えた電気掃除機であって、
　前記回転ブラシ体の回転軸方向の両側方で、前記タービンよりも外側に、前記回転ブラシ体及び前記タービンの軸受を備え、
　前記吸口本体は上ケースと下ケースを備え、
　前記吸口本体の前記吸込口が設けられるのと反対側の面に、前記回転ブラシ体及び前記タービンを覆うカバーを前記上ケースに備え、
　前記カバーの前記吸口本体に対する着脱を切り替える切替手段を設け、この切替手段を操作して前記カバーを開けることにより、前記回転ブラシ体、タービン及び軸受を一体で、前記吸口本体に対して着脱できるようにした
　ことを特徴とする電気掃除機。」と訂正し、
（５）請求項８を、請求項４とするとともに、引用する請求項の番号を変更し、さらに、
（６）上記、各請求項に対応する発明の詳細な説明の段落【０００５】の記載を訂正するものである。
（５４）【発明の名称】
電気掃除機及びその吸口体
（５７）【特許請求の範囲】
　【請求項１】　吸込口を有する吸口本体と、この吸口本体内に回転ブラシ体及びこの回転ブラシ体の回転軸方向の両側方でかつ同軸線上に前記回転ブラシ体の駆動力を発生するタービンと、前記回転ブラシ体が設けられた吸口本体内の空間に連通する空気通路を形成する継ぎ手とを備えた電気掃除機の吸口体であって、
　前記回転ブラシ体の回転軸方向の両側方で、前記タービンよりも外側に、前記回転ブラシ体及び前記タービンの軸受を備え、
　前記吸口本体は上ケースと下ケースを備え、
　前記吸口本体の前記吸込口が設けられるのと反対側の面に、前記回転ブラシ体及び前記タービンを覆うカバーを前記上ケースに備え、
　前記カバーの前記吸口本体に対する着脱を切り替える切替手段を設け、この切替手段を操作して前記カバーを開けることにより、前記回転ブラシ体、タービン及び軸受を一体で、前記吸口本体に対して着脱できるようにした
　ことを特徴とする電気掃除機の吸口体。
　【請求項２】　請求項１に記載の電気掃除機の吸口体において、
　前記回転ブラシ体は、ブレードで構成されることを特徴とする電気掃除機の吸口体。
　【請求項３】　電気掃除機本体と、この掃除機本体と空気通路で繋がれる吸口体を備え、前記吸口体に、吸込口を有する吸口本体と、この吸口本体内に回転ブラシ体及びこの回転ブラシ体の回転軸方向の両側方でかつ同軸線上に前記回転ブラシ体の駆動力を発生するタービンと、前記回転ブラシ体が設けられた吸口本体内の空間に連通する空気通路を形成する継ぎ手とを備えた電気掃除機であって、
　前記回転ブラシ体の回転軸方向の両側方で、前記タービンよりも外側に、前記回転ブラシ体及び前記タービンの軸受を備え、
　前記吸口本体は上ケースと下ケースを備え、
　前記吸口本体の前記吸込口が設けられるのと反対側の面に、前記回転ブラシ体及び前記タービンを覆うカバーを前記上ケースに備え、
　前記カバーの前記吸口本体に対する着脱を切り替える切替手段を設け、この切替手段を操作して前記カバーを開けることにより、前記回転ブラシ体、タービン及び軸受を一体で、前記吸口本体に対して着脱できるようにした
　ことを特徴とする電気掃除機。
　【請求項４】　請求項３に記載の電気掃除機において、
　前記回転ブラシ体は、ブレードで構成されることを特徴とする電気掃除機。
【発明の詳細な説明】
　　　【０００１】
　　【発明の属する技術分野】
　本発明は、吸口体内に回転ブラシ体を備え、この回転ブラシ体を吸引力で回転駆動して集塵する技術に関する。
　　　【０００２】
　　【従来の技術】
　従来の電気掃除機の吸込口体は、特開昭６１−７８０６号公報や６１−７８０７号公報に記載のように、硬質の床面と絨毯との両者を効果的に掃除するための吸込口体として絨毯に付着する塵あいを有効に吸塵するために、回転ブラシとこの回転ブラシを駆動するタービンとを備えたものがある。吸込口体は、床面を走行する本体に電気掃除機の集塵部に接続される吸込風路と床面に向けて開口するブラシ室とを仕切壁により区画形成し、吸い込み風路にタービンを収納するとともにブラシ室にタービンによって駆動部材を介して駆動される回転ブラシを収納したものである。
　　　【０００３】
　　【発明が解決しようとする課題】
　上記従来技術では、床面に向けて開口する横長のブラシ室と後方にはタービンを有するタービン室が設けられて、延長管に連通する吸込風路と伝動室とに仕切られており、回転ブラシが軸受部により支承されて回転自在に収納され、これらの回転ブラシとタービンとは伝動室においてベルトにより連結されている。このため、吸込口体自身が大きくなり操作性やあるいは取扱いが不便であった。また、回転ブラシに巻き付いた塵あいや糸屑，髪の毛を除去するなどメンテナンスを行う場合に、回転ブラシの取り外しにベルトが邪魔になるなど取扱いが困難であった。
　また、タービン室は塵あい等の吸込通路であるため髪の毛や糸屑がタービンに絡み付いたりあるいはタービンのブレード間に綿ぼこりがたまるなどしてタービンの回転を妨げて吸い込み性能を低下させていた。また、軸受部に塵あい等が付着しやすい構造であった。
　一方、回転ブラシは、タービンの軸端に設けた小プーリと回転ブラシに設けた大プーリとの間に張架した動力伝達用のベルトにより、タービンの回転が減速して伝達されている。したがって、タービンが回転ブラシの数倍の回転数で回転しているためにタービンに流入する流れに速度変動が起こりタービンと干渉して、タービンのブレード枚数＊回転数を基本次とした羽根回転音が発生し易くなる。特に、吸込口体を掃除面から離したときには回転ブラシが無負荷状態となり、空気の吸込量が増大するのでタービンと回転ブラシの回転数が増大するので一層騒音が大きくなり、耳ざわりになるなど不快感を与えるという問題があった。また、毛足の長い絨毯を掃除する時、回転ブラシが抵抗となって回転ブラシの回転力が減少したり、大きな塵あいを吸込んで回転不能となった場合にタービンだけが回転しているためにプーリとベルトが歯飛びするなど騒音発生の原因となっていた。
　　　【０００４】
　本発明の第一の目的は、簡略化された構造により軽量化が可能で、分解組立が容易な電機掃除機用の吸口体を提供することにある。
　本発明の第二の目的は、メンテナンス性に優れた電気掃除機を提供することにある。
　本発明の第三の目的は、軽量化が可能で、分解組立が容易な吸口体に用いられるのに好適な、信頼性の高い回転ブラシ体を提供することにある。
　　　【０００５】
　　【課題を解決するための手段】
　前記課題を解決するために、本発明は次のような構成を採用する。
　吸込口を有する吸口本体と、この吸口本体内に回転ブラシ体及びこの回転ブラシ体の回転軸方向の両側方でかつ同軸線上に前記回転ブラシ体の駆動力を発生するタービンと、前記回転ブラシ体が設けられた吸口本体内の空間に連通する空気通路を形成する継ぎ手とを備えた電気掃除機の吸口体であって、
　前記回転ブラシ体の回転軸方向の両側方で、前記タービンよりも外側に、前記回転ブラシ体及び前記タービンの軸受を備え、
　前記吸口本体は上ケースと下ケースを備え、
　前記吸口本体の前記吸込口が設けられるのと反対側の面に、前記回転ブラシ体及び前記タービンを覆うカバーを前記上ケースに備え、
　前記カバーの前記吸口本体に対する着脱を切り替える切替手段を設け、この切替手段を操作して前記カバーを開けることにより、前記回転ブラシ体、タービン及び軸受を一体で、前記吸口本体に対して着脱できるようにした電気掃除機の吸口体。
　また、前記電気掃除機の吸口体において、前記回転ブラシ体は、ブレードで構成される電気掃除機の吸口体。
　また、電気掃除機本体と、この掃除機本体と空気通路で繋がれる吸口体を備え、前記吸口体に、吸込口を有する吸口本体と、この吸口本体内に回転ブラシ体及びこの回転ブラシ体の回転軸方向の両側方でかつ同軸線上に前記回転ブラシ体の駆動力を発生するタービンと、前記回転ブラシ体が設けられた吸口本体内の空間に連通する空気通路を形成する継ぎ手とを備えた電気掃除機であって、
　前記回転ブラシ体の回転軸方向の両側方で、前記タービンよりも外側に、前記回転ブラシ体及び前記タービンの軸受を備え、
　前記吸口本体は上ケースと下ケースを備え、
　前記吸口本体の前記吸込口が設けられるのと反対側の面に、前記回転ブラシ体及び前記タービンを覆うカバーを前記上ケースに備え、
　前記カバーの前記吸口本体に対する着脱を切り替える切替手段を設け、この切替手段を操作して前記カバーを開けることにより、前記回転ブラシ体、タービン及び軸受を一体で、前記吸口本体に対して着脱できるようにした電気掃除機。
　また、前記電気掃除機において、前記回転ブラシ体は、ブレードで構成される電気掃除機。
　　　【０００６】
　　【発明の実施の形態】
　以下に本発明の実施例を図面により説明する。図１は吸口本体１の正面図で、一部上ケースを取り外した状態を示す。ここで、下ケース２には前方及び側方に衝撃緩衝用のバンパ３があり、移動用の車輪５がある。吸込口６からの塵あいを吸込気流にのせて、掃除機本体（図示せず）へ送るための曲がり継ぎ手４が後方にある。吸込口６には回転ブラシ７を配置しており両端を軸受９により回転自在に軸支し、軸受９よりも内側にタービン１０を有し回転ブラシ７と接続されている。回転ブラシ７の外周には長手方向に螺線上に連続した嵌合溝を有する基台１６とこの嵌合溝に嵌合する軟質の可しょう性を有するブレード２３がある。また、回転ブラシ７とタービン１０の問に隔壁１１が設けられ、タービン室１２が形成されている。下ケース２にはタービン１０を通過した空気を曲がり継ぎ手４に導くための案内流路１４を配設している。回転ブラシ７とタービン１０を覆う着脱可能なブラシカバー１５にはタービン１０に対向して吸気口１３が開口してあり、吸口本体１と着脱を行う切り替えレバー８を備えている。この吸気口１３は図示していないが下ケース２の前面に位置しても同じ効果が得られる。
　　　【０００７】
　この構成で、電気掃除機を運転して掃除を行うと吸気口１３からタービン１０，案内流路１４，曲がり継ぎ手４へと空気が流れ、タービン１０を回転させる。この回転力に同期して回転ブラシ７が回転し、その回転ブラシ７のブレード２３により被掃除面をかき上げ、回転ブラシ７の後方にある吸込口からの吸い込み気流にのってスムーズに曲がり継ぎ手４を通過して掃除機本体へ吸い込まれる。
　　　【０００８】
　ここで、吸口本体１が毛足の長い絨毯に密着した場合には床面との隙間がなくなり吸込気流が不足がちになるが、タービン１０の吸気口１３から吸込気流を補足できるので、タービン１０の回転力の減少が防止でき、回転ブラシ７の回転を持続させて絨毯に付着した塵あいや糸屑を効果的に吸塵できる。また、タービン１０の吸気口１３が床面と非接触であるため、塵あいや糸屑が回転ブラシ７の軸受部９等に付着することに起因する回転不能を防ぐことができる。しかも、タービン室１２はタービン１０の外周との隙間を小さくすることができるのでタービン１０の効率が向上するので、吸込風量が少なくて済み小形に構成できる。さらに、タービン１０の回転力を妨げる要因である髪の毛や綿ぼこりの進入がないので吸込性能が維持できる。
　　　【０００９】
　一方、床面掃除の場合、回転ブラシ７の回転は不要である。吸口本体１が床面と密着しても空気の流入する隙間は確保されるので、吸込口６には十分な吸込気流が与えられる。したがって、タービン１０の吸気口１３からの吸込気流は、その速度が小さいためにタービン７を回転させることがない。そのため、掃除面に応じてのタービン７の回転の有無を切り替える手間がなくなり、掃除中の不便さが解消される。
　　　【００１０】
　次に、回転ブラシ７にからみついた髪の毛や糸屑などを除去するには、図２に示すように、ブラシカバー１５の切り替えレバー８を操作してブラシカバー１５を開け、一体となっている回転ブラシ７とタービン１０を取り外して掃除を行うことができる。このように、図４に示す従来の吸口体のように、回転ブラシ１８とタービン１９とがベルト２２により連結した場合と異なり、回転ブラシ１８の取り外しを行うのに手間がかからない。さらに、回転ブラシ室の後方にあったタービン室２０がなくなるので吸口本体の小形化ができる。
　　　【００１１】
　また、回転ブラシ７と一体になっているタービン１０は、約三千ｒｐｍから約五千ｒｐｍの回転で回っており、タービンの回転力をベルトにより減速して回転ブラシに伝達している場合に比べ、タービンの回転速度は大幅に低下しているのでタービンに流入する流れの速度変動が起こりにくくなり、タービンのブレード枚数＊回転数を基本次とした羽根回転音を低減できる。たとえ、羽根回転音が発生したとしても周波数的には低周波帯域になるので、人の聴感には聞こえにくく掃除中の不快感から解消される。さらに、動力伝達用のベルト２２やプーリ２１が不要となるのでタイミングのずれによって起こる歯飛びやベルトの叩き音がなくなるので、吸口本体の低騒音化が図られる。
　　　【００１２】
　図３は他の実施例で、下ケース２の案内流路１４を形成している仕切板１４ａと１４ｂに複数の孔を有し、その廻りに吸音材１７を収納したものである。タービン１０の吸気口１３から流入した気流とタービンによって発生した羽根回転音や渦流音を吸音材１７によって吸音するので騒音の低減が図れる。
　　　【００１３】
　本実施例によれば吸口本体の部品点数も少なく構造はきわめて簡単であり、組立時の作業工程の簡素化が図られ、コスト低減の効果が大きい。また、吸口本体の小形化と軽量化により取扱いが容易になり掃除中の操作性が良くなる。
　　　【００１４】
　上記本発明に係る実施例の構成によれば、回転ブラシとタービンとを一体としたことにより動力伝達用のベルトやプーリが不要となるので回転ブラシのメンテナンスが容易になるとともに、部品点数が削減され吸込口体自身の小形化と軽量化につながり、組立時の作業工程の簡素化を含めコスト低減の効果が大きい。また、軽量化により掃除中の操作性が良くなる。また、回転ブラシに巻き付いた髪の毛や糸屑を除去するなどメンテナンスを行う場合に、ブラシカバーを開けると回転ブラシとタービンを一体に取り外すことができるので取扱いが容易である。
　　　【００１５】
　吸込口体が毛足の長い絨毯に密着した場合に床面との隙間がなくなり吸込気流が不足がちになるが、吸込口とタービンの吸気口を分離させたことにより、吸気口から吸込気流を補足できるので、吸込口体を毛足が長い絨毯に密着させた場合でもタービンの回転力の減少が防止でき、回転ブラシの回転を持続させて絨毯に付着した塵あいや糸屑を効果的に吸塵できる。また、タービンの吸気口が床面と非接触であるため、塵あいや糸屑が回転ブラシの軸受部等に付着することに起因する回転不能を防止することができる。さらに、タービンの回転力を妨げる要因である髪の毛や綿ぼこりの進入がないので吸込性能を維持できる。
　　　【００１６】
　タービン後方の案内流路を形成する仕切板に孔を有しその外側に吸音材を収納して構成したことにより、タービンから発生した羽根音や渦流音が吸音され騒音を低減することができる。
　　　【００１７】
　回転ブラシの両端にタービンを設けて一体としたことにより、タービンの回転数は低速でよいので吸込気流との速度変動が小さくなりタービンの羽根回転音が発生しにくくなる。また、動力伝達用のベルトやプーリが不要となるのでタイミングのずれによって起こる歯飛びやベルトの叩き音がなくなる。
　　　【００１８】
　　【発明の効果】
　本発明の吸口体によれば、回転ブラシ体がタービンと一体で吸口本体に着脱可能に設けらるので、構造が簡略化され吸口体を軽量化できるとともに、分解組立が容易になる。
　また本発明の電機掃除機によれば、吸口体の分解組立が容易になり、優れたメンテナンス性を有することができる。
　また本発明の回転ブラシ体によれば、電機掃除機の吸口体に用いられることにより、回転ブラシ体の駆動機構が簡略化され、吸口体の軽量化が可能になるとともに分解組立が容易になる。このとき、回転ブラシ体の両側方に軸受が備えられることにより、軸受部に塵挨が付着しにくく信頼性を高めることができる。
【図面の簡単な説明】
　　【図１】
　本発明の一実施例を示す上ケースの一部を切り欠いた部分断面図。
　　【図２】
　図１における回転ブラシを取り外した様子を示す斜視図。
　　【図３】
　他の実施例を示す一部切り欠き断面図。
　　【図４】
　従来の吸口体を示す正面図。
　　【符号の説明】
　１…吸口本体、４…曲がり継ぎ手、７…回転ブラシ、１０…タービン、１２…タービン室、１３…吸気口、１４…案内流路、１７…吸音材。